(57)【要約】【課題】容器の本体の上部に設けられた開口部を容易に密閉し、容器内で液体が飛散することを防止する。【解決手段】容器１０の本体４０の上部に設けられた開口部を、この開口部に接する部分にパッキン２５が取り付けられた外蓋２０を用いて密閉する。また、本体４０の内部に配設され、本体４０の内部側面と接する側面部分にパッキン３３が取り付けられた中蓋３０を、取っ手３１を用いて、本体４０に入れられた液体の液面の高さに合わせて本体４０の内部側面に沿って移動させる。中蓋３０の上面に取り付けられたエア抜きキャップ３２が閉じられることで、エア抜きキャップ３２から出入りしていた空気の流れが遮断され、中蓋３０を任意の側面部分に固定できる。【選択図】        図１
2007176523.tif 000002
【特許請求の範囲】
【請求項１】
上部に開口部が設けられた本体部分と、
上記本体部分に設けられた上記開口部を塞ぐための外蓋と、
上記本体部分の内部に配設され、該内部の側面に沿って上下に移動および取り出しが可能な中蓋とを備える容器であって、
上記外蓋は、
上記開口部に対応した外蓋本体部と、
上記外蓋本体部の上記開口部と接する部分に取り付けられた密閉部材と、
一端が上記外蓋本体部の外部側面または外部上面に固定されたバンドと、
上記外蓋本体部の外部側面または外部上面に取り付けられ、上記バンドの他端を着脱自在に接続するバンド留め部材とを有し、
上記中蓋は、
中蓋本体部と、
上記中蓋本体部の上部に取り付けられた取っ手と、
上記本体部分の上記内部側面に接する上記中蓋本体部の側面部分に取り付けられた密着部材と、
上記中蓋本体部に設けられ、空気の出入りを調節し、上記中蓋本体部を上記内部側面に沿って移動および取り出しをするための空気調節部とを有する
ことを特徴とする容器。
【請求項２】
開封済みの容器の本体部分の上部に設けられた開口部を塞ぐための蓋であって、
上記開口部に対応した蓋本体部と、
一端が上記蓋本体部の外部側面または外部上面に固定されたバンドと、
上記蓋本体部の外部側面または外部上面に取り付けられ、上記バンドの他端を着脱自在に接続するバンド留め部材と
を有することを特徴とする蓋。
【請求項３】
開封済みの容器の本体部分の内部に配設され、該内部の側面に沿って上下に移動および取り出しが可能であり、該容器に設けられた開口部を塞ぐための蓋であって、
蓋本体部と、
上記蓋本体部の上部に取り付けられた取っ手と、
上記本体部分の上記内部側面に接する上記蓋本体部の側面部分に取り付けられた密着部材と、
上記蓋本体部に設けられ、空気の出入りを調節し、上記蓋本体部を上記内部側面に沿って移動および取り出しをするための空気調節部と
を有することを特徴とする蓋。
【発明の詳細な説明】
【技術分野】
【０００１】
この発明は、例えば、液体を入れる容器、および開封済みの容器を密閉するための蓋に関する。
【０００２】
詳しくは、この発明は、容器の本体部分の上部に設けられた開口部を、密閉部材が取り付けられた外蓋で塞いでバンドで固定し、また、この容器の内部に配設され、側面部分に密着部材が取り付けられた中蓋を、空気調節部を用いてこの容器の内部側面に固定することによって、容器本体に設けられた開口部を容易に密閉するとともに、容器に入れられた物体の飛散を防ぐことを可能とした容器等に係るものである。
【背景技術】
【０００３】
従来、塗料缶には蓋がついていなかったため、開封された後、塗料が残ってしまった場合には、残った塗料を一々蓋付きの容器に移さなければならず、大変面倒であった。
【０００４】
また、新しい容器に移して持ち帰ったとしても、液体によっては、液体のまま運搬すると、容器の内部で飛散することによって揮発するおそれがあった。このような液体は、飛散を防止するために、運搬する前に固化させていたが、固化させることによって再度使用することができなくなることがあり、産業廃棄物として捨てられてしまうことがしばしばあった。
【０００５】
そこで、従来、開封済みの容器に残った塗料をそのまま再度使用できる状態で保管するために、容器の底部に支持部材を設け、この支持部材を蓋に接続された係止手段を用いて支えることによって、容器と蓋を密閉させる密閉蓋が提案されている（特許文献１参照）。
【０００６】
【特許文献１】特開平０６−１８３４５１号公報
【発明の開示】
【発明が解決しようとする課題】
【０００７】
しかし、特許文献１に記載の発明は、蓋を用いて容器の開口部を密閉させるために、容器を支える支持部材と、この支持部材と蓋を接続するための係止手段とを必要とし、構成が複雑であった。また、容器の開口部を塞ぐ蓋しかなかったため、容器内に塗料等の液体が入れられている場合は、液体を固化しない限り、運搬する際に、容器内で液体が飛散するのを防ぐことができなかった。
【０００８】
この発明の目的は、容器の開口部を容易に密閉し、容器内で塗料等の液体が飛散するのを防止することにある。
【課題を解決するための手段】
【０００９】
この発明の概念は、
上部に開口部が設けられた本体部分と、
上記本体部分に設けられた上記開口部を塞ぐための外蓋と、
上記本体部分の内部に配設され、該内部の側面に沿って上下に移動および取り出しが可能な中蓋とを備える容器であって、
上記外蓋は、
上記開口部に対応した外蓋本体部と、
上記外蓋本体部の上記開口部と接する部分に取り付けられた密閉部材と、
一端が上記外蓋本体部の外部側面または外部上面に固定されたバンドと、
上記外蓋本体部の外部側面または外部上面に取り付けられ、上記バンドの他端を着脱自在に接続するバンド留め部材とを有し、
上記中蓋は、
中蓋本体部と、
上記中蓋本体部の上部に取り付けられた取っ手と、
上記本体部分の上記内部側面に接する上記中蓋本体部の側面部分に取り付けられた密着部材と、
上記中蓋本体部に設けられ、空気の出入りを調節し、上記中蓋本体部を上記内部側面に沿って移動および取り出しをするための空気調節部とを有する
ことを特徴とする容器にある。
【００１０】
この発明において、容器には、容器の本体部分と、容器の上部に設けられた開口部を塞ぐための外蓋と、本体部分の内部に、中蓋が配設されている。
【００１１】
外蓋本体部には、容器本体に設けられた開口部と接する部分に、密閉部材が取り付けられており、開口部を塞ぐことができる。密閉部材は、例えば伸縮性に優れた合成樹脂で構成され、開口部と外蓋との間に隙間を作ることなく、密閉させることができる。
【００１２】
外蓋本体部には、さらに、容器と外蓋とを密閉するために取り付けられた、バンドの一端が固定されている。バンドの一端は、外蓋本体部の、外部側面または外部上面に固定されており、このバンドの他端は、外蓋本体部の外部側面または外部上面に取り付けられたバンド留め部材で着脱自在に接続されている。バンドの各端部は、例えば、互いに対向する位置に取り付けられている。このようなバンドは、各容器に、例えば２本ずつ取り付けられている。
【００１３】
このように、バンドを用いて外蓋を容器の開口部に固定させることで、運搬の際でも、外蓋が開口部から外れてしまうことを防ぐことができる。
【００１４】
中蓋は、容器の内部に配設されている。中蓋本体部には、上部に取っ手が取り付けられているので、取っ手を引っ張ることで、容器の内部側面に沿って上下に移動させることができる上、取り外すこともできる。
【００１５】
中蓋本体部を容器の内部側面に密着させるために、内部側面に接する中蓋本体部の側面部分には、密着部材が取り付けられている。密着部材は、例えば合成樹脂等で構成される。
【００１６】
また、中蓋本体部の上部には、空気調節部が取り付けられている。空気調節部は、中蓋本体部を介しての空気の出入りを調節するためのものである。ユーザによって空気調節部が閉じられると、中蓋本体部を通して空気が流れなくなるので、中蓋を容器本体の内部側面に固定することができる。
【００１７】
また、逆に、ユーザによって空気調節部が開けられると、空気が空気調節部から出入りができるようになり、中蓋を上下に移動させることができるようになる。
【００１８】
このように、ユーザが空気調節部を用いて、中蓋から出入りする空気を調節することによって、中蓋を容器本体の内部側面の任意の位置に固定したり、内部側面に沿って上下に移動させたりすることができるので、容器の中に入っている物体が液体である場合においても、液体の液面の高さに合わせて中蓋を移動させて、空気調節部を閉じて内部側面に固定することによって、液体が容器内で飛散するのを防ぐことができる。
【発明の効果】
【００１９】
この発明によれば、容器本体の上部に設けられた開口部を、密閉部材が取り付けられた外蓋で塞いでバンドで固定し、また、この容器の内部に配設され、側面部分に密着部材が取り付けられた中蓋を、空気調節部を用いてこの容器の内部側面に固定するものであり、容器本体に設けられた開口部を容易に密閉するとともに、容器に入れられた物体の飛散を防ぐことができる。
【発明を実施するための最良の形態】
【００２０】
以下、図面を参照しながら、この発明の実施の形態について説明する。
【００２１】
図１はこの発明の実施の形態である、容器１０の構成を示す図である。以下、図１を用いて、容器１０の構成について説明する。
【００２２】
図１に示すように、容器１０は、上部にある外蓋２０、容器の本体部分である本体４０、この本体４０の内部に配設される中蓋３０、本体４０の側面および底面に沿って取り付けられた２本のバンド５０を有している。
【００２３】
容器１０は、主に、塗料等の液体を入れるために用いられる。本体４０の上部には開口部が設けられており、外蓋２０は、この開口部を塞ぐためのものである。
【００２４】
なお、図１では、本体４０内の中蓋３０を見やすくするために、この本体４０を透明な状態で示しているが、本体は透明でなくてもよい。
【００２５】
図２は、外蓋２０を縦に切り取った縦断面図である。外蓋本体部２６の底面には、例えば、ポリプロピレン等の合成樹脂で構成されたパッキン２５が取り付けられている。パッキン２５は、密閉部材を構成している。このパッキン２５の本体４０の開口端部と接する部分は、内部が中空状態とされた肉厚部とされている。これにより、本体４０の開口端部とパッキン２５との密着性を高めることができ、外蓋２０で本体４０の開口部をしっかりと密閉することができる。
【００２６】
そのため、容器１０に入れられた物体が液体であったとしても、外蓋２０と開口部との隙間から液体が漏れることを防ぐことができる。
【００２７】
また、図１に示すように、外蓋本体部２６の上部には、取っ手２１が取り付けられているので、持ち運びがしやすい。
【００２８】
さらに、外蓋本体部２６には、側面に、バンド固定具２２およびバンド留め具２３がそれぞれ２つずつ取り付けられている。バンド固定具２２およびバンド留め具２３は、それぞれ、バンド５０の端部と外蓋２０とを接続するためのものである。
【００２９】
バンド５０の一端がバンド固定具２２に固定されているとすると、バンド５０の他端は、容器１０の側面および底面を通り、そのバンド固定具２２に外蓋２０の中心を介して対向した位置にあるバンド留め具２３に着脱自在に接続される。バンド留め具２３は、バンド留め部材を構成している。
【００３０】
図３はバンド５０の一端を固定している、バンド固定具２２の構成を示す図である。図３に示すように、バンド５０の一端は、金属製のリング２４に通されてから、バンド固定部具２２を潜って、再度リング２４を通されてからリング２４がつぶされることによって固定されている。
【００３１】
図４は、バンド５０を固定したときの、バンド留め具２３の拡大図である。一端を、図３を用いて説明したバンド固定具２２に固定されたバンド５０の他端は、図４に示すように、バンド留め具２３の下部に設けられた開口部２３ａから入り、部材２３ｂの上部を通ってから、また開口部２３ａを通って、バンド留め具２３の外部に出ている。開口部２３ａから出た部分は、バネ部材が取り付けられた挟み部材２３ｃで固定されている。
【００３２】
挟み部材２３ｃで固定されたバンド５０の端部は、挟み部材２３ｃの上部がユーザによって押されることで、挟み部材２３ｃに取り付けられたバネ部材が縮み、開放される。
【００３３】
このように、バンド５０の一端を固定するためのバンド固定具２２、およびバンドの他端を着脱自在に接続するためのバンド留め具２３を互いに対向した位置に設けることによって、外蓋２０を浮かせることなく、外蓋２０により本体４０の開口部をより密閉することができる。
【００３４】
また、図１に示すように、バンド５０を２本用いることによって、１本のバンドを用いる場合よりも、密閉の強度を増すことができる。
【００３５】
また、図３に示すバンド固定具２２を用いると、バンド５０の一端が固定されるため、バンド５０を取り外すことができないが、両端部をバンド留め具２３で着脱自在に接続し、バンド５０の取り外しができるようにしてもよい。
【００３６】
さらに、図１に示すように、容器１０の内部には、中蓋３０が取り付けられている。また、中蓋３０は、本体４０の内部形状に合った形状の中蓋本体部３４を有している。この中蓋本体部３４の上部には、取っ手３１が取り付けられている。この取っ手３１を操作することで、容器１０の内部側面に沿って中蓋本体部３４、つまり中蓋３０を上下に移動させることができる。
【００３７】
また、中蓋本体部３４の上面には、エア抜きキャップ３２が設けられている。このエア抜きキャップ３２を用いることで、中蓋３０を、容器１０の内部側面であればどこにでも固定することができる。エア抜きキャップ３２は、空気調節部を構成している。
【００３８】
図５は、エア抜きキャップ３２の縦断面図を拡大したものである。図５に示すように、エア抜きキャップ３２は、左または右に回転することによって、開けたり閉めたりすることができる。また、中蓋本体部３４の側面部分には、密着部材である、パッキン３３が取り付けられている。
【００３９】
ユーザは、エア抜きキャップ３２を閉じると、エア抜きキャップ３２を介して出入りしていた空気の流れが遮断されるので、中蓋３０を、パッキン３３を介して本体４０の内部側面の任意の位置に固定することができる。
【００４０】
このように、容器１０に塗料等の液体を入れても、エア抜きキャップ３２を用いて、中蓋３０を液体の液面の高さに合わせて固定すれば、本体４０の内部で液体が飛散することを防ぐことができる。
【００４１】
逆に、ユーザは、容器１０に入れられた塗料等を使用する際、エア抜きキャップ３２を開けると、中蓋３０から空気が出入りするので、取っ手３１を用いて中蓋３０を本体４０の内部側面に沿って移動させて、中蓋３０を本体４０から取り外すことができる。
【００４２】
このように、容器１０に入れられた塗料等の液体を使いきれなかった場合でも、中蓋３０を容器１０に入れられた液体の液面に合わせて移動させ、エア抜きキャップ３２を閉じることによって、液体が容器１０の内部で飛散することを防止することができるので、液体が揮発する危険性がなく、運搬する際も安全である。
【００４３】
なお、上述の実施の形態においては、バンド５０を２本としたが、１本であってもよい。
【００４４】
また、上述の実施の形態においては、バンド５０の一端を着脱自在に接続するために、バンド留め具２３を用いたが、バンド５０の端部を図６に示す構成とし、図７に示すようなバンド留め部材６０を用いて固定するようにしてもよい。
【００４５】
図６は、バンド留め部材６０に対応したバンド５０の端部５０ａの拡大図である。この場合、バンド５０の端部５０ａは、スライドしやすいように、合成樹脂等で構成されている。図６に示すように、端部５０ａには、所定間隔毎に溝が設けられている。
【００４６】
図７は、端部５０ａに対応したバンド留め部材６０の拡大図である。図７に示すように、バンド留め部材６０には、図６で示した端部５０ａに所定間隔毎に設けられた溝に対応した凸部６０ａがある。また、バンド留め部材６０にはバネ部材６０ｂが取り付けられている。
【００４７】
ユーザは、調整部材６０ｃを押しながら、端部５０ａを上下にスライドさせることによって、端部５０ａを固定する位置を段階調整することができる。端部５０ａを上にスライドさせることで、バンド５０をより強く固定することができ、逆に、端部５０ａを下にスライドさせることで、端部５０ａをバンド留め部材６０から容易に取り外すことができる。
【００４８】
また、上述の実施の形態においては、容器１０が角型の構成であるとしたが、底がある円筒型であってもよい。容器１０が円筒型である場合は、外蓋２０および中蓋３０も、容器１０に合わせて、円形となる。
【００４９】
また、上述の実施の形態においては、外蓋２０および中蓋３０は、容器１０に付属した蓋であるとしたが、外蓋２０および中蓋３０を他の容器の蓋および中蓋として用いることもできる。例えば、石油缶の規格サイズは２種類しかない。よって、２種類の石油缶に対応した外蓋２０および中蓋３０があれば、外蓋２０はあらゆる開封済みの石油缶の開口部に対応でき、中蓋３０もあらゆる開封済みの石油缶の内部に配設できる。
【００５０】
このように、容器１０とセットとしてではなく、外蓋２０および中蓋３０だけを市場取引の対象とすることも可能である。
【産業上の利用可能性】
【００５１】
この発明は、容器の開口部を容易に密閉する外蓋と、液体が容器内で飛散することを防ぐための中蓋を備えた容器に係るものであり、塗料や石油等の液体を運搬する際に適用できる。
【図面の簡単な説明】
【００５２】
【図１】容器の構成を示す図である。
【図２】蓋に取り付けられたパッキンを示す図である。
【図３】バンドを固定したときのバンド固定具の構成を示す図である。
【図４】バンドを固定したときのバンド留め具の構成を示す図である。
【図５】エア抜きキャップの拡大図である。
【図６】バンドの端部の拡大図である。
【図７】バンドの端部およびバンド留め部材の構成を示す図である。
【符号の説明】
【００５３】
１０…容器、２０…外蓋、２１，３１…取っ手、２２…バンド固定具、２３…バンド留め具、２３ａ…開口部、２３ｂ…ガイド部材、２３ｃ…挟み部材、２４…リング、２５，３３…パッキン、２６…外蓋本体部、３０…中蓋、３２…エア抜きキャップ、３４…中蓋本体部、４０…本体、５０…バンド、５０ａ…バンドの端部、６０…バンド留め部材、６０ａ…凸部、６０ｂ…バネ部材、６０ｃ…調節部材
【図１】
2007176523.tif 000003
【図２】
2007176523.tif 000004
【図３】
2007176523.tif 000005
【図４】
2007176523.tif 000006
【図５】
2007176523.tif 000007
【図６】
2007176523.tif 000008
【図７】
2007176523.tif 000009